(57)【要約】【課題】  磁石の反発力を利用して、クッション性の優れた履物の底および中敷を提供する。【解決手段】  プレート１に１または複数の空洞を形成し、それらそれぞれの空洞の中に、１または複数の磁石３を上下に間隔を置いて、同極を対向させて収納して履物の底または中敷とする。空洞は、プレートの上面に凹部２を設け、該凹部の上方を弾性シート４で覆い、弾性シート４をプレート１の上面に固着または係止するか、または、プレート１の周側面に開口する穴で、該穴の開口を栓で塞ぐか、または、塞がない状態として形成する。上下に対向する磁石３は、空洞に遊嵌するか、または、空洞の天井と底面に接着する。  空洞底の磁石３の上方の空間（上下の磁石の間）に磁力を通す弾性体を充填するのが好ましい。【選択図】    図１
2005270542.tif 000002
【特許請求の範囲】
【請求項１】
プレートに１または複数の空洞を設け、それらそれぞれの空洞の中に、１または複数の磁石を、上下に間隔を置いて、同極を対向させて収納してなる履物の底または中敷。
【請求項２】
空洞がプレートの上面に凹部を設け、該凹部の上方を弾性シートで覆い、該弾性シートを前記プレートの上面に固着または係止してなることを特徴とする請求項１に記載の履物の底または中敷。
【請求項３】
空洞が、プレートの周側面に開口する穴で、該穴の開口を栓で塞ぐか、または、塞がない状態としてなることを特徴とする請求項１に記載の履物の底または中敷。
【請求項４】
上下に対向する磁石を、空洞に遊嵌するか、または、空洞の天井と底面に接着したことを特徴とする請求項１乃至３のいずれかに記載の履物の底または中敷。
【請求項５】
プレートに１または複数の凹部を設け、それらそれぞれの凹部の底に１または複数の磁石を収納し、二層の弾性シートで１または複数の磁石を、前記凹部の底の磁石の上面の極と同極側を下にして、前記凹部の底の磁石に対向する位置に挟み、前記弾性シートで前記凹部を覆い、該弾性シートを前記プレートの上面に固着または係止してなる履物の底または中敷。
【請求項６】
プレートに１または複数の凹部を設け、それらそれぞれの凹部の底に１または複数の磁石を収納し、上方にフランジ部を設けた磁石の下方側を前記凹部底の磁石の上方の極と同極とし、２層の弾性シートの下部シートに、前記フランジ部のある磁石の下部を挿通しうる穴を設け、その上面側から前記フランジ部のある磁石の下部を挿通してその先端部を、前記凹部底の磁石と間隔をおいて対向して下側に突出させ、前記フランジ部の下面を前記下部シートの上面側に当接させ、前記下部シートの上に上部シートを重ね、前記磁石のフランジ部を挟さみ、固着または係止し、その２層の弾性シートを、下部シート側を下にして前記凹部を覆い、前記プレートの上面に固着または係止してなる履物の底または中敷。
【請求項７】
空洞底の磁石の上方の空間に弾性体を充填してなるなることを特徴とする請求項１乃至６のいずれかに記載の履物の底または中敷。
【発明の詳細な説明】
【技術分野】
【０００１】
この発明は、磁石の反発力を利用する、クッション性の優れた履物の底および中敷に関するものである。
【背景技術】
【０００２】
従来、特許文献１に記載されているような、サンダル台の上面に、弾力性のある材料を用いて伏皿状に形成した上面部材を底板に接合させることにより空気室を設け、クッション性を高めたサンダルがある。
【特許文献１】実用新案登録第３０３６２８１号公報（請求項２、０００６、図１、２）
【発明の開示】
【発明が解決しようとする課題】
【０００３】
特許文献１に記載のようなサンダルは、歩行により伏皿状の上面部材が足による押圧部分が移動することにより、伏皿状の空室内で空気が移動しクッション性を高めるので、伏皿状の上面部材とサンダル台との接合を密にしなければならない。
接合が密にされても、使用の繰り返しで、接合部分に隙間が生じ易く、歩行の際に隙間から空気が漏れ、外部から隙間を通じて空気が流入するのが遅いので、クッション性がなくなってしまう。
【課題を解決するための手段】
【０００４】
プレートに１または複数の空洞を設け、それらそれぞれの空洞の中に、１または複数の磁石を、上下に間隔を置いて、同極を対向させて収納してなる履物の底または中敷とする。
【０００５】
空洞は、プレートの上面に凹部を設け、該凹部の上方を弾性シートで覆い、該弾性シートを前記プレートの上面に固着または係止した状態とする。
【０００６】
または、空洞は、プレートの周側面に開口する穴で、該穴の開口を栓で塞ぐか、または、塞がない状態とする。
【０００７】
上下に対向する磁石を、空洞に遊嵌するか、または、空洞の天井と底面に接着する。
【０００８】
プレートに１または複数の凹部を設け、それらそれぞれの凹部の底に１または複数の磁石を収納し、二層の弾性シートで１または複数の磁石を、前記凹部の底の磁石の上面の極と同極側を下にして、前記凹部の底の磁石に対向する位置に挟み、前記弾性シートで前記凹部を覆い、該弾性シートを前記プレートの上面に固着または係止して履物の底または中敷とする。
【０００９】
プレートに１または複数の凹部を設け、それらそれぞれの凹部の底に１または複数の磁石を収納し、上方にフランジ部を設けた磁石の下方側を前記凹部底の磁石の上方の極と同極とし、２層の弾性シートの下部シートに、前記フランジ部のある磁石の下部を挿通しうる穴を設け、その上面側から前記フランジ部のある磁石の下部を挿通してその先端部を、前記凹部底の磁石と間隔をおいて対向して下側に突出させ、前記フランジ部の下面を前記下部シートの上面側に当接させ、前記下部シートの上に上部シートを重ね、前記磁石のフランジ部を挟さみ、固着または係止し、その２層の弾性シートを、下部シート側を下にして前記凹部を覆い、前記プレートの上面に固着または係止して、履物の底または中敷とする。
【００１０】
空洞底の磁石の上方の空間に弾性体を充填してもよい。
【発明の効果】
【００１１】
この発明に係る履物の底および中敷は、磁石の反発力を用いてクッション性を高めるので、磁石を収納する空洞（空室）を密に閉じる必要がなく、製造が容易で、コストも安くすむ。
磁石は磁力の持続が長く、特に永久磁石の磁力の持続は非常に長いので、恐らく履物の寿命の消滅するまでの長期間持続し、クッション性はほとんど低下しない。
【発明を実施するための最良の形態】
【００１２】
図１に示す履物の底は、本底（プレート）１の上面に凹部２を設け、凹部２内に磁石３を同極を上下に間隔をおいて対向させて遊嵌し、本底１の上方周面に磁力を通し、弾性のあるシートの天板４を接着または縫着して固着するか、または面ファスナーやホック等の係止具を用いて着脱自在に係止し、天板４で凹部２を覆ったものである。
【００１３】
凹部２は、図１に示すものは、大きな１個であるが、複数の凹部を設けてもよい。
図２に示すものは、本底１の上面に凹部２ａ、２ｂ、２ｃの３個を間隔を置いて設け、各凹部内に磁石３を同極を上下に間隔をおいて対向させて遊嵌し、本底の上面に天板４を接着し、各凹部を覆ったものである。
【００１４】
図３に示す履物の底は、本底１の周壁に開口する穴５を設ける。図に示す本底１には踵部７の周壁に開口する穴５ａを設け、その穴５ａに磁石３を上下に、同極を対向させて遊嵌し、穴５ａの開口を栓６で閉じると共に、本底１の中間部８および前方部９の周壁に開口する穴５ｂ、５ｃを設け、穴５ｂ、５ｃに磁石３を、上下に、間隔をおいて、同極を対向させて遊嵌し、穴の開口を栓（図示せず）で閉じたものである。  上記中間部８および前方部９の周壁の開口は足の内側または外側に対応するいずれの側でもよい。
【００１５】
図４に示す履物の底は、本底１の上面に凹部２を設け、凹部２内に一方の磁石３を遊嵌するか、または、凹部２の底面に接着固定する。そして、凹部２の上方を覆う天板は、磁力を通し、かつ、柔軟な弾性シートよりなる部材４ａと４ｂとの二層構造で、他方の磁石３を挟んで固着または係止したものである。二層の部材４ａ、４ｂの内、少なくとも一方、図においては４ｂの方は磁石の反発を妨げない材質のものである。
天板４ｂを下向きにして凹部２の上方を覆い、本底１の上面に固着または係止する。
凹部２の底の磁石３と、天板の磁石３とは同極が対向するものとする。
【００１６】
上記各図に示す磁石３は、図に示すものはプレート状であるが、その片面の全面がＳまたはＮ極であるものでもよく、また、片面にＳ極とＮ極が交互に存在するものでもよい。  また、磁石はプレート状の物に限らず、棒状やボタン状等のいずれの形状のものでもよい。
磁石は、永久磁石を用いるのが好ましい。
【００１７】
凹部が大きい場合には、上下それぞれに複数の磁石を用うれば、歩行の際の本底１の屈折を容易にして好ましい。
【００１８】
凹部を天板で覆うか、または、穴の開口を栓で塞いでなる空洞（空室）は、前方部９から踵部７にかけて１または複数とするか、または、前方部９、中間部８、踵部７のいずれかに１または複数設けてもよい。
【００１９】
上記いずれの実施の形態においても、磁石３を凹部２または穴５に遊嵌したが、一方の磁石３を凹部２または穴５の底に接着し、他方の磁石３をその上方に遊嵌してもよく、または、一方の磁石３を凹部２または穴５の底に接着し、他方の磁石３も天板４または穴の天井に接着固定してもよい。
【００２０】
上記いずれの実施の形態においても、上下２つの磁石の間に、磁石の反発を妨げない弾性体、たとえば発泡ウレタン等のスボンジ体やゴム等を充填してもよい。
【００２１】
図５に示す履物の底は次の構成である。すなわち、本底１の上面に凹部２を設ける。一方の磁石３を凹部２内に遊嵌するか、または、凹部２の底面に接着固定する。凹部２の上方を覆う天板は、柔軟な、または、弾性のあるシートよりなる部材４ａ、４ｂの二層構造で、下方の部材４ｂには孔１０を設ける。凹部２の底の磁石３に同極を対向させる磁石３ａは、先端部が部材４ｂの孔１０に嵌挿でき、抜け止めのフランジ部１１を有する。磁石３ａの先端側を凹部２の底の磁石３の上方側と同極とする。先端部は円柱状でも多角形柱状でもよい。
この磁石３ａを、先端を下向きにして部材４ｂの孔１０に挿入し、フランジ部１１を孔１０の周縁部に当接させて抜け止めをし、その上方に部材４ａを重ねて部材４ａと４ｂとを固着または係止する。そして、磁石３ａの先端を凹部２の底の磁石３に同極対向させて部材４ｂ側で凹部２の上方を覆って部材４ｂ側を本底１の上面に固着または係止する。
磁石３ａの先端部は、図に示すように、部材４ｂの下面より下方に突出しているが、突部の先端面が部材４ｂの下面と面一でもよく、また、少々上方に位置してもよい。
磁石３と磁石３ａの先端との間には間隔を設ける。
凹部２の底の磁石３の上方の空間に、磁石の反発を妨げない弾性体、たとえば発泡ウレタン等のスボンジ体やゴム等を充填してもよい。
【００２２】
磁石３ａは、図６（Ａ）に示すように、全体が磁石であってもよく、または、図６の（Ｂに示すように、フランジ部１１のない側の先端部を磁石とし、先端の極を凹部２の底の磁石の上面の極と同極とする。
【００２３】
上記いずれの実施の形態においても、天板を底に係止した場合、２層の弾性シートを重ねて係止した場合、および、２層の弾性シートを底に係止した場合には、その係止を解放することにより、磁石を取り出し、他の磁石と替えることができる。
【００２４】
上記の何れの実施例も、履物の底として説明したが、図１乃至６により説明した底と同様の構成で履物の中敷を形成してもよい。
この場合には、上記の説明の底を中敷と読替え、本底、天板を下方シート、上部シートと読替えることにより説明できる。
【００２５】
この発明に係る底または中敷を用いた履物を使用して歩行すると、体重が踵から爪先の方へ移行してかかり、底の天板または中敷の上部シートが順次押され、上下の磁石が接近するが、接近により、上下に対向する磁石３と３ａまたは３ｂが反発して底の天板または中敷の上部シートを上方へ押すのでクッションがよい。
【図面の簡単な説明】
【００２６】
【図１】履物の底の断面図である。
【図２】他の実施の形態の履物の底の断面図である。
【図３】他の実施の形態の履物の底の断面図である。
【図４】他の実施の形態の履物の底の断面図である。
【図５】他の実施の形態の履物の底の断面図である。
【図６】磁石３ａの説明図である。
【符号の説明】
【００２７】
１  本底
２  凹部
３  磁石
３ａ  磁石
４  天板
５  穴
６  栓
７  踵部
８  中間部
９  前方部
１０  孔
１１  フランジ部
【図１】
2005270542.tif 000003
【図２】
2005270542.tif 000004
【図３】
2005270542.tif 000005
【図４】
2005270542.tif 000006
【図５】
2005270542.tif 000007
【図６】
2005270542.tif 000008